(57)【特許請求の範囲】
【請求項１】
下端にアンカーを取り付けた筒状のドレーン材をマンドレル内に挿入した状態で、マンドレル下端から水ジェットを噴出しながらマンドレルを地盤内の所定深度まで貫入の後、バルブ操作により切り換えて上記マンドレル内のドレーン材挿入部分に水を充填して、アンカー上に注水の重量を作用させることによりマンドレルのみを引抜くドレーン材の打設方法。
【発明の詳細な説明】
【０００１】
【産業上の利用分野】
本発明は、主として砂質地盤などの液状化を防止するために、その地盤にドレーン材をマンドレルにより打設する際に、特にそのドレーン材がマンドレル引抜き時に共上りすることを防止することができるドレーン材の打設方法に関するものである。
【０００２】
【従来の技術】
砂質地盤等で水が飽和して、締り度合の低い状態で地震により繰り返し剪断力を受けると、土砂の粒子の間に存在する間隙水の圧力が急に増加し、その結果、砂質地盤が剪断強度を失い、あたかも液状体の挙動を示す状態が発生し、これを砂質地盤の液状化の現象と称している。
【０００３】
このように地盤が液状化すると、地盤の破壊あるいは構造物の損壊、転倒、不等沈下、浮上などの被害をもたらすことになる。
そこで、外周に補強体を有し、かつロール状に巻いた砂の粒子より細かいメッシュの筒状のフィルタからなるドレーン材の下端を、ケーシング内からその下端に取付ける重量体のアンカーに固定した状態で、そのケーシングごと砂質地盤の所定深さ位置まで貫入の後、ケーシングのみ引抜き、そのドレーン材の所定長さ切断した上端に透水性キャップをかぶせる工程を所定数のドレーン材について行なう砂質地盤の液状化防止方法に関する特公平６−５４００３の発明がなされている。
【０００４】
しかしながら、上記従来の方法においては、マンドレルを引抜く際に、ドレーン材がケーシングと共上がりするのを完全には防止できず、所定の位置に設置できなかったドレーン材は打ち直す必要があるという問題があった。
【０００５】
【発明が解決しようとする課題】
本発明は、前記従来の問題点を解決するためになされたものであり、液状化防止のために砂質地盤などにマンドレルを使用してドレーン材を貫入した後、そのマンドレルを引抜く際に、ドレーン材が共上がりしたり、変形することを防止できるドレーン材の打設方法を提供することを目的としている。
【０００６】
【課題を解決するための手段】
上記の目的を達成するため、本発明のドレーン材の打設方法は、下端にアンカーを取り付けた筒状のドレーン材をマンドレル内に挿入した状態で、マンドレル下端から水ジェットを噴出しながらマンドレルを地盤内の所定深度まで貫入の後、バルブ操作により切り換えて上記マンドレル内のドレーン材挿入部分に水を充填して、アンカー上に注水の重量を作用させることによりマンドレルのみを引抜くことを特徴としている。
【０００７】
上記、本発明の方法によれば、ドレーン材を砂質地盤などに貫入後、マンドレル内のドレーン材を挿入部分に充填した水の重量が、ドレーン材の下端に取り付けたアンカーに作用して、マンドレル引抜き時にドレーン材の共上がりを防止することができる。
【０００８】
【実施例】
以下図面を参照して本発明のドレーン材打設方法を適用したドレーン材打設作業の実施例を説明するが、図１はその実施例１に係るドレーン材打設用のマンドレル１の下部１１の要部側断面図、図２は図１のＡ−Ａ方向の平面図、図３は図１のマンドレル１の下部１１に接続される中間部１２の側断面図、図４は図３のＢ−Ｂ方向の平断面図、図５は図３のマンドレル１の中間部１２に接続される上部１３の側断面図である。
【０００９】
まず、上記各図で示す下部１１、中間部１２及び上部１３からなるマンドレル１内に挿入されるドレーン材２は、砂の粒子より細かいメッシュで筒状に形成され、かつその外周に図１のごとくら線状の補強体２１を有したものである。
また、マンドレル１に挿入されたドレーン材２の下端には、図１及び図２に示す円錐状のアンカー３が取り付けられている。
【００１０】
次に、これらマンドレル１の下部１１、中間部１２及び上部１３は二重管構造になっており、上部１３に設けられたジェット水入口４から供給されたジェット水Ｊが、二重管の図１、図３、図４及び図５のごとく形成されたジェット水通路５を流下し、下部１１の下端面の円周上に複数個配設されたノズル６から、マンドレル１の砂質地盤への貫入時にジェット水Ｊが噴出するようになっている。
【００１１】
なお、図５の上部１３の上方に７で示すのはドレーン材２の挿入口であり、また８で示すのは、マンドレル１内のドレーン材２挿入部分に水Ｗを充填するための水注入口である。
次に、上記の構成からなる実施例１の二重管構造のマンドレル１を使用してドレーン材２の打設を行なう作業手順を概略図で説明すると、まず、図６に示すごとく、マンドレル１内に筒状のドレーン材２を挿入の上、そのドレーン材２の下端に、マンドレル１の水ジェットＪの噴出用のノズル６の邪魔にならない状態でアンカー３を取り付け、砂質地盤などの地盤Ｇに対するドレーン材２の打設準備を行なう。
【００１２】
そこで、図７のごとく、下端にアンカー３を取り付けた筒状のドレーン材２をマンドレル１内に挿入した状態で、マンドレル１の下端のノズル６から水ジェットＪを噴出しながらマンドレル１を圧入装置による貫入により地盤Ｇに貫入させ、図８に示す地盤Ｇの所定深度まで貫入した後、ノズル６からの水ジェットＪの噴出を中止し、マンドレル１内のドレーン材２が挿入されている部分に水Ｗを水注入口８から注入する。
【００１３】
この場合、水ジェットＪ用の水の供給と、マンドレル１内のドレーン材２が挿入されている部分への水Ｗの供給とは、バルブ操作により切り換えることによって行なうことができる。
次に、図９に示すごとく、マンドレル１のみを上方に引抜き、アンカー３を取り付けたドレーン材２を地盤Ｇ内に残すことになり、そこでドレーン材２を所定長さに切断し、その上端に透水性のキャップなどをかぶせて、土砂その他のものがドレーン材２内部に落下しないような処置を施す。
【００１４】
一方、図１０、図１１、図１２及び図１３は、本発明の方法によるドレーン材２の打設用マンドレル１の外側に水ジェットパイプ９を設けた実施例２の作業手順を説明する一連の概略図であり、図１０は図６に、図１１は図７に、図１２は図８に、そして図１３は図９にそれぞれ対応した状態を示しており、それぞれ同じ部品は同じ符号で示し、同様な作用をするものであり、その詳細説明は省略する。
【００１５】
【発明の効果】
以上に説明した本発明のドレーン材の打設方法によれば、ドレーン材を挿入した状態のマンドレルをその下端から水ジェットを噴出しながら地盤中に貫入するので、水ジェットによる作用でマンドレルの地盤中への貫入速度がより早くなり、作業時間が短縮される。
【００１６】
また、マンドレルの地盤への貫入後、マンドレル内のドレーン材を挿入した部分へ水を充填することにより、ドレーン材の先端に取り付けたアンカーに水の重量が作用し、マンドレルの引抜き時にドレーン材が共上がりすることを防止できるので、良好なドレーン材の打設を行なうことができる。
さらに、ドレーン材の下端に取り付けられるアンカーの重量は従来のものより軽量化でき、それだけ作業能率を高め、作業コストを低減することができる。
【図面の簡単な説明】
【図１】本発明のドレーン材打設方法によるドレーン材打設作業に適用される実施例１に係るマンドレルの下部を示す要部側断面図である。
【図２】図１のＡ−Ａ方向の平面図である。
【図３】図１のマンドレルの中間部の側断面図である。
【図４】図３のＢ−Ｂ方向の平断面図である。
【図５】図１のマンドレルの上部の側断面図である。
【図６】図１に示す二重管のマンドレルにドレーン材を挿入した状態の概略説明図である。
【図７】図６のマンドレルを地盤に貫入中の状態の概略説明図である。
【図８】図７のマンドレルを地盤の所定深さまで貫入時の概略説明図である。
【図９】図８のマンドレルのみを引抜き時の概略説明図である。
【図１０】本発明の方法に適用されるマンドレルの外側に水ジェットパイプを設けている実施例２のマンドレルにドレーン材を挿入した状態の概略説明図である。
【図１１】図１０のマンドレルを地盤に貫入中の状態の概略説明図である。
【図１２】図１１のマンドレルを地盤の所定深度まで貫入時の概略説明図である。
【図１３】図１２のマンドレルのみを引抜き時の概略説明図である。
【符号の説明】
１  マンドレル                      ２  ドレーン材
３  アンカ                          Ｇ  地盤
Ｊ  水ジェット                      Ｗ  水
【図１】
0003695791.tif 000002
【図２】
0003695791.tif 000003
【図３】
0003695791.tif 000004
【図４】
0003695791.tif 000005
【図５】
0003695791.tif 000006
【図６】
0003695791.tif 000007
【図７】
0003695791.tif 000008
【図８】
0003695791.tif 000009
【図９】
0003695791.tif 000010
【図１０】
0003695791.tif 000011
【図１１】
0003695791.tif 000012
【図１２】
0003695791.tif 000013
【図１３】
0003695791.tif 000014